(57)【特許請求の範囲】
【請求項１】
固定部と、該固定部に上下可動に設けられた可動部とよりなり、
前記固定部は、台枠と、該台枠上にそれぞれ垂直に且つ所定の間隔をあけて固設された２本のインナーパイプとよりなり、且つ該２本のインナーパイプの一方には内面に雌ねじが形成され、
前記可動部は、前記インナーパイプを覆い上下にスライド可能に設けられた２本のアウターパイプと、両アウターパイプの下部に両端を接続固定されたローラーシャフトと、該ローラーシャフトに回動可能に支持された管載置用のローラと、
アウターパイプの上端に設けられた軸受けカラーに回転可能に支持された、一方のアウターパイプの内部に回転可能に設けられて前記インナーパイプの雌ねじに螺合するねじ軸と、該ねじ軸の上端に取着された回転ハンドルとを具備し、
該回転ハンドルを回すことによりねじ軸を回転させ、アウターパイプを上下にスライドさせることで、管載置用ローラの高さを調節することを可能にしたことを特徴とする管支持台。
【請求項２】
前記各アウターパイプの外周にサイドローラーが回転可能に設けられたことを特徴とする請求項１記載の管支持台。
【発明の詳細な説明】
【０００１】
【発明の属する技術分野】
本発明は管支持台に関する。詳しくは、ガス管あるいは水道管等を配管工事する場合において、２本の管を接続する際に該管を支承するために用い、且つその支持高さを微調節できる管支持台に関する。
【０００２】
【従来の技術】
従来、図５に示すように２本のガス管１，１′をエレクトロフュージョン継手２を用いて接続するか、あるいはバット融着機によりバット接続するような場合は管１，１′を管支持台３を用いて所定の高さに支持する必要がある。この場合に用いる管支持台の２例を図６及び図７に示す。
【０００３】
図６に示す管支持台は、固定部４と可動部５とよりなり、固定部４は台枠６の上に、対象とする管１の最大径の管の径より充分広い間隔をとって２本のインナーパイプ７，７′が垂直に設けられ、そのインナ−パイプ７，７′の中には該インナ−パイプより長いスプリング８，８′が挿入されている。
【０００４】
また、可動部５は、固定部４のインナ−パイプ７，７′の外周を覆い上下に摺動できるように設けられ且つ上端を盲蓋９ａにて閉じられたアウタ−パイプ９，９′と、管１を支承するローラ１０とを具備している。そして各アウタ−パイプ９，９′の下部にはローラ−シャフト１１を支持するボス１２と、ロック用ねじ１３を支持するねじ孔を有するボス１４とが設けられている。
【０００５】
そして各アウターパイプ９，９′のボス１２はローラ１０を支持したローラ−シャフト１１の端部をそれぞれ支持固定している。またボス１４にはロックハンドル１３ａを有するロック用ねじ１３がそれぞれ螺合されている。
この管支持台を使用する場合は、管１をローラ１０上に支承し、その高さを調節した後ロック用ねじ１３を締上げ、アウターパイプ９，９′をインナ−パイプ７，７′に固定する。
【０００６】
また、図７に示す管支持台は、外周にねじが形成されたパイプ１６が台枠６上に垂直に設けられ、ハンドル１７ａを有するナット体１７が該パイプ１６に螺合しており、該ナット体１７の上部にはＶ字形に配置された１対のローラ１８，１８′を有する支持部材１９が回動可能に設けられている。そして、使用時にはＶ字形に配置されたローラ１８，１８′で管１を支承し、ハンドル１７ａを回してナット体１７を上下させて高さを調節するようになっている。
【０００７】
【発明が解決しようとする課題】
上記従来の管支持台において、図６に示したものは、安価ではあるが、管１の高さをスプリング８，８′のばね圧でアウタ−パイプ９，９′を上下に昇降させて調整するため、スプリング８，８′のばね圧より重い管の場合の微調整は管１を手で支えながら行う必要がある。そのため大口径（特に呼び径２００Ａ）の管では、その重量が重く（２００Ａで約６０kg）、手で支えながら調整するのは困難であるという問題がある。
【０００８】
また、図７に示した管支持台は、高さ調節を行うとき、ねじで調整するので微調整は管を手で支えて行う必要はないが、Ｈ寸法（管支持高さ）が低くとれないという問題がある。またストローク量を大きく（Ｈ寸法は１００〜２７０mmの範囲が必要）とらなければならない場合、雄ねじ寸法を最大高さに合わせるとＨ寸法の最小高さはＨ＝１００mmを満たすことが不可能となる。
【０００９】
本発明は上記従来の問題点に鑑み、高さ微調整時に管を手で支える必要が無く、且つ所定のストローク量（２７０mm−１００mm＝１７０mm）を確保できる管支持台を実現することを目的とする。
【００１０】
【課題を解決するための手段】
本発明の管支持台に於いては、固定部と、該固定部に上下可動に設けられた可動部とよりなり、前記固定部は、台枠と、該台枠上にそれぞれ垂直に且つ所定の間隔をあけて固設された２本のインナ−パイプとよりなり、且つ該２本のインナ−パイプの一方には内面に雌ねじが形成され、前記可動部は、前記インナーパイプを覆い上下にスライド可能に設けられた２本のアウターパイプと、両アウターパイプの下部に両端を接続固定されたローラーシャフトと、該ローラーシャフトに回動可能に支持されたローラと、一方のアウターパイプの内部に回転可能に設けられて前記インナーパイプの雌ねじに螺合するねじ軸と、該ねじ軸の上端に取着された回転ハンドルとを具備してなることを特徴とする。また、それに加えて、前記各アウターパイプの外周にサイドローラが回転可能に設けられたことを特徴とする。
【００１１】
この構成を採ることにより、高さ微調整時に管を手で支える必要が無く、且つ所定のストローク量を確保できる管支持台が得られる。
【００１２】
【発明の実施の形態】
図１及び図２は本発明の実施の形態を示す図で、図１は平面図、図２は図１のII−II線における断面図である。本実施の形態は同図に示すように、固定部２０と可動部２１とよりなる。固定部２０は平面形状が略矩形状の台枠２２と、該台枠２２の相対する辺に垂直に設けられ且つ所定の間隔（対象とする管の最大径以上の寸法）を隔てた１対のインナ−パイプ２３，２３′とより構成されている。そして一方のインナ−パイプ２３にはその内側に雌ねじが形成されている。
【００１３】
また、可動部２１は前記固定部のインナ−パイプ２３，２３′の外周を覆い上下に摺動可能で且つ下部にローラ−シャフト２４を支持固定するボス２５を有するアウタ−パイプ２６，２６′と、ローラ−シャフト２４に回転可能に支持されたローラ２７と、一方のアウタ−パイプ２６に設けられて前記インナ−パイプ２３に形成された雌ねじに螺合するねじ軸２８と、該アウタ−パイプ２６，２６′の外周に回転可能に設けられかサイドローラ２９，２９′とを具備して構成されている。
【００１４】
なお、ねじ軸２８はアウタ−パイプの上端に設けられた軸受カラー３０に回転可能に支持され、ねじ軸２８の上端にはハンドル取付カラー３１及びハンドルバー３２を介してハンドル３３が設けられている。また、サイドローラ２９，２９′はアウタ−パイプ２６，２６′の上・下部に嵌合されたクリップ３４，３４′により離脱しないように規制されている。
【００１５】
このように構成された本実施の形態は、図３及び図４に示すようにして用いられる。
先ず、図３に示すように大径管、小径管とも１ａに示すようにローラ２７の中央部に載置するが、管の曲がりその他の理由により１ｂの様にローラ２７の片側（ねじ軸を有するアウタパイプ側に近い方）に載置する。次いで図４の如くハンドル３３を回すことによりねじ軸２８を回転させアウタ−パイプ２６と共にローラ２７の高さを調整して管１ａまたは管１ｂを所望の高さに位置決めすることができる。
【００１６】
この場合、ローラ２７の上下移動調整はねじ軸２８によるため所定のストローク量を得ることが可能で、且つ負荷荷重に対するハンドル３３の操作力は軽く、大径の管でも容易に昇降させることができ、従来のごとく管を手で支える必要はない。また、微調整も容易である。サイドローラ２９，２９′は管１ａ又は１ｂを前後に移動する時案内すると共にその場合の摩擦を軽減し移動を容易にすることができる。
【００１７】
【発明の効果】
本発明に依れば、管を支承するローラをねじ軸により上下に移動調整できるようにしたことにより、所望のストローク量が得られ、且つ管の接続作業時に管を手で支持する必要が無く、また微調整も容易になり、配管作業の合理化に寄与することができる。
【図面の簡単な説明】
【図１】本発明の実施の形態を示す平面図である。
【図２】図１のII−II線における断面図である。
【図３】本発明の実施の形態の使用状態を示す図である。
【図４】本発明の実施の形態の使用状態を示す図である。
【図５】従来の管接続作業状態を示す図である。
【図６】従来の管支持台を示す図である。
【図７】従来の管支持台の他の例を示す図である。
【符号の説明】
２０…固定部
２１…可動部
２２…台枠
２３，２３′…インナ−パイプ
２４…ローラ−シャフト
２５…ボス
２６，２６′…アウタ−パイプ
２７…ローラ
２８…ねじ軸
２９，２９′…サイドローラ
３０…軸受カラー
３１…ハンドル取付カラー
３２…ハンドルバー
３３…ハンドル
３４、３４′…クリップ
【図１】
0003916273.tif 000002
【図２】
0003916273.tif 000003
【図３】
0003916273.tif 000004
【図４】
0003916273.tif 000005
【図５】
0003916273.tif 000006
【図６】
0003916273.tif 000007
【図７】
0003916273.tif 000008